(57)【要約】本発明は、喉頭の内視鏡手術に使用される喉頭鏡に関する。本発明にかかる喉頭鏡（１）は、円筒形で内部が中空であると共に一端が喉頭内に配置される本体（２）と、先端が本体（２）の他端に固定された少なくとも１個のハンドル（６）と、ハンドル（６）の他端に固定されて、本体（２）に接続されていないと共に本体（２）の動作を容易にする少なくとも１個のスリーブ（７）とを含む。本体（２）が、挿管チューブが載置される少なくとも１個の溝（３）と、喉頭内での挿管チューブの滑り落ちを防止する隆起部（４）と、ハンドル（６）に固定された端部に設けられた少なくとも２個の穴（５）とを含む。
2013536721.tif 000002
【特許請求の範囲】
【請求項１】
円筒形で内部が中空であると共に一端が喉頭内に配置される本体（２）と、先端が本体（２）の他端に固定された少なくとも１個のハンドル（６）と、ハンドル（６）の他端に固定されて、本体（２）に接続されていないと共に本体（２）の動作を容易にする少なくとも１個のスリーブ（７）とを含む喉頭鏡（１）において、
本体（２）が、喉頭内に配置された先端からハンドル（６）を有する端部の方に出発して、本体（２）の外方壁に沿って延在すると共に、挿管チューブが載置される少なくとも１個の溝（３）と、溝（３）の外側に沿って延在すると共に、喉頭内での挿管チューブの滑り落ちを防止する隆起部（４）と、ハンドル（６）に固定された端部に設けられると共に、光源と吸引カニューレが配置された少なくとも２個の穴（５）とを含む喉頭鏡（１）。
【請求項２】
溝（３）が、挿管チューブの表面の一部が載るだけの大きさがあると共に、使用状態に応じて本体（２）の側壁の左、右又は中間に設けられる請求項１に記載の喉頭鏡（１）。
【請求項３】
溝（３）が半円形である請求項１又は２に記載の喉頭鏡（１）。
【請求項４】
隆起部（４）が、溝（３）に沿って延在すると共に、溝（３）と同じ長さを有する請求項１乃至３のいずれかに記載の喉頭鏡（１）。
【請求項５】
隆起部（４）の最高端が、喉頭内に配置された本体（２）の最高端と同じレベルにある請求項１乃至４のいずれかに記載の喉頭鏡（１）。
【請求項６】
隆起部（４）が、溝（３）内に配置された挿管チューブの喉頭部分を固定すると共に、本体（２）からの挿管チューブの滑り落ちを防止する請求項１乃至５のいずれかに記載の喉頭鏡（１）。
【発明の詳細な説明】
【技術分野】
【０００１】
本発明は、喉頭の内視鏡手術に使用される喉頭鏡に関する。
【背景技術】
【０００２】
喉頭の内視鏡手術の公知の技術では、喉頭の内腔を観察するために、喉頭鏡が使用され、手術処置中の患者の呼吸を可能にするために、挿管チューブが喉頭内に配置される。この挿管チューブは、喉頭鏡の外方及び下方に留まる。しかしながら、喉頭の後半部の手術処置の場合、挿管チューブは、喉頭鏡と共に前方に持上げねばならない。手術処置の間、挿管チューブは、喉頭鏡の上方に位置しなければならない。挿管チューブと喉頭鏡は、共に、円筒形であると共に、挿管チューブを喉頭鏡に固定する部材が無いので、挿管チューブは、喉頭鏡の頂部から摺動して喉頭の後部に落下するかもしれない。このような場合、手術を中止して、挿管チューブを、再び喉頭鏡の上方に戻さねばならない。上記手順は、手術を長引かせ、時には、手術の完了を妨げることさえある。
【０００３】
従来技術では、特許文献１は、内視鏡処置中に使用される喉頭鏡と多機能挿管スタイレットについて記載する。
【０００４】
従来技術の別の例では、特許文献２が、挿管チューブと軟質の撮像装置を支承する喉頭鏡について記載する。挿管チューブが喉頭鏡に接続されているので、それは、患者の喉頭を検査する機会を外科医に与えると共に、内視鏡処置を行うのが困難な患者における外科医の仕事を容易にする。
【先行技術文献】
【特許文献】
【０００５】
【特許文献１】米国特許第５６６５０５２号明細書
【特許文献２】国際公開第２００６／１１８９８４号
【発明の概要】
【発明が解決しようとする課題】
【０００６】
本発明の目的は、喉頭内の手術処置中に喉頭鏡の上方から挿管チューブが滑り落ちることを防止する喉頭鏡を製造することである。
【０００７】
本発明の別の目的は、より短時間に喉頭の後部の手術処置の完了を可能にする喉頭鏡を製造することである。
【図面の簡単な説明】
【０００８】
【図１】本発明にかかる喉頭鏡の側面図である。
【図２】図１の喉頭鏡のＡ部の詳細断面図である。
【発明を実施するための形態】
【０００９】
本発明の目的を達成するように製造される喉頭鏡を、添付の図に示す。
【００１０】
本発明にかかる喉頭鏡１は、円筒形で内部が中空であると共に一端が喉頭内に配置される本体２と、先端が本体２の他端に固定された少なくとも１個のハンドル６と、ハンドル６の他端に固定されて、本体２に接続されていないと共に本体２の動作を容易にする少なくとも１個のスリーブ７とを含む。
【００１１】
本体２が、喉頭内に配置された先端からハンドル６を有する端部の方に出発して、本体２の上方及び外方の壁に沿って延在すると共に、挿管チューブが載置される少なくとも１個の溝３と、溝３の外側に沿って延在すると共に、喉頭内での挿管チューブの滑り落ちを防止する少なくとも１個の隆起部４と、ハンドル６に固定された端部に設けられた少なくとも２個の穴５とを含む。
【００１２】
溝３が、挿管チューブの表面の一部が載るだけの大きさがあると共に、使用状態に応じて本体２の側壁の左、右又は中間に設けられる。本発明の好ましい態様では、溝３が半円形である。
【００１３】
隆起部４が、溝３に沿って延在すると共に、溝３と同じ長さを有する。隆起部４の最高端が、喉頭内に配置された本体２の最高端と同じレベルにある。隆起部４が、溝３内に配置された挿管チューブの喉頭部分を固定すると共に、本体２からの挿管チューブの滑り落ちを防止する。
【００１４】
ユーザーが手術処置を快適に完了するように、光源が、一方の穴５に配置され、真空を生成するように機能する吸引カニューレが、他方の穴５に配置される。
【００１５】
ハンドル６は、ユーザーが、手術処置を容易に行える場所に喉頭鏡１を挿入すると共に、手術処置が行われる場所に喉頭鏡１の方向を変更することができるように、使用される。ユーザーが自分の指を挿入するように構成されたスリーブ７により、ユーザーが、喉頭鏡１を垂直平面内で移動させることができる。
【００１６】
自分の指をスリーブ７に挿入することによって、ユーザーは、ハンドル６を把持して、本体２を喉頭に挿入する。ユーザーは、本体２上の穴５に止着された光により、喉頭の内部を楽に見ることができるので、処置を容易に完了する。ユーザーが、前述の手術作業を行っている間、挿管チューブは、本体２の頂部に固定されたままであり、挿管チューブの滑り落ち等の問題は解消される。よって、喉頭内の手術処置は容易に完了される。
【００１７】
本発明の主題である喉頭鏡１の広範囲な展開が可能である。本発明は、上記の例に限定されるものではない。基本的に、本発明は、請求項で指定される。
【符号の説明】
【００１８】
１  喉頭鏡
２  本体
３  溝
４  隆起部
５  穴
６  ハンドル
７  スリーブ
【図１】
2013536721.tif 000003
【図２】
2013536721.tif 000004
【手続補正書】
【提出日】平成24年3月28日(2012.3.28)
【手続補正１】
【補正対象書類名】特許請求の範囲
【補正対象項目名】全文
【補正方法】変更
【補正の内容】
【特許請求の範囲】
【請求項１】
円筒形で内部が中空であると共に先端が喉頭内に配置されるように構成された本体（２）と、先端が本体（２）の他端に固定された少なくとも１個のハンドル（６）と、ハンドル（６）の他端に固定されて、本体（２）に接続されていないと共に本体（２）の動作を容易にする少なくとも１個のスリーブ（７）とを含む喉頭鏡（１）において、
本体（２）が、喉頭内に配置された先端からハンドル（６）を有する端部の方に出発して、本体（２）の外方壁に沿って延在すると共に、挿管チューブが載置される少なくとも１個の溝（３）と、溝（３）の外側に沿って延在すると共に、喉頭内での挿管チューブの滑り落ちを防止する隆起部（４）と、ハンドル（６）に固定された端部に設けられると共に、光源と吸引カニューレを内部に配置するように構成された少なくとも２個の穴（５）とを含む喉頭鏡（１）。
【請求項２】
溝（３）が、挿管チューブの表面の一部が載るだけの大きさがあると共に、使用状態に応じて本体（２）の側壁の左、右又は中間に設けられる請求項１に記載の喉頭鏡（１）。
【請求項３】
溝（３）が半円形である請求項１又は２に記載の喉頭鏡（１）。
【請求項４】
隆起部（４）が、溝（３）に沿って延在すると共に、溝（３）と同じ長さを有する請求項１乃至３のいずれかに記載の喉頭鏡（１）。
【国際調査報告】
2013536721.tif 000005
2013536721.tif 000006
2013536721.tif 000007